(57)【要約】【課題】  簡易な構成で伸縮門扉の移動柱を所定の向きのまま所定位置まで確実に移動することができる門扉装置を提供する。【解決手段】  本発明の門扉装置１は、水平パンタ式伸縮門扉３と、伸縮門扉３の一端に連結した移動柱５と、振れ防止部材７とを備え、伸縮門扉３は上パンタ部材１３ａ及び下パンタ部材１３ｂと、各上下のパンタ部材１３ａ、１３ｂの中央部を回転自在に支持する中央軸１５と、複数の中央軸のうちの任意の中央軸１５の軸線１５ａ上に設けた被ガイド部１７を有し、振れ防止部材７は移動柱５に固定してあり且つ移動柱５よりも伸縮門扉側に突出した突出部２５を有し、突出部２５には被ガイド部１７が係合するガイド部２７が設けてあり、伸縮門扉３の伸縮に伴なって被ガイド部１７がガイド部２７に沿って直線状に移動自在としてある。【選択図】      図１
2006125071.tif 000002
【特許請求の範囲】
【請求項１】
水平パンタ式伸縮門扉と、伸縮門扉の一端に連結した移動柱と、振れ防止部材とを備え、伸縮門扉は上下のパンタ部材と、各上下のパンタ部材の中央部を回転自在に支持する中央軸と、複数の中央軸のうちの任意の中央軸の軸線上に設けた被ガイド部を有し、振れ防止部材は移動柱に固定してあり且つ移動柱よりも伸縮門扉側に突出した突出部を有し、突出部には被ガイド部が係合するガイド部が設けてあり、伸縮門扉の伸縮に伴って被ガイド部がガイド部に沿って直線状に移動自在としてあることを特徴とする門扉装置。
【請求項２】
被ガイド部は伸縮門扉の下端側にある下パンタ部材の下面に軸着したキャスターであり、ガイド部は突出部の上面に設けたレールであることを特徴とする請求項１に記載の門扉装置。
【請求項３】
水平パンタ式伸縮門扉と、伸縮門扉の一端に連結した移動柱と、振れ防止部材とを備え、振れ防止部材は移動柱に固定してあり且つ移動柱よりも伸縮門扉側に突出した突出部を有し、伸縮門扉は上下のパンタ部材と、各上下のパンタ部材の中央部を回転自在に支持する中央軸を有し且つ複数の中央軸のうちの任意の中央軸の軸線上に振れ防止部材の突出部が軸着してあり、伸縮門扉の伸縮に伴って振れ防止部材の突出部が伸縮門扉の伸縮方向に沿って直線状に伸縮自在としていることを特徴とする門扉装置。
【請求項４】
振れ防止部材は、移動柱の下端に固定してあり、地面に敷設したレールを走行するキャスターを有することを特徴とする請求項１〜３のいずれか一項に記載の門扉装置。
【発明の詳細な説明】
【技術分野】
【０００１】
本発明は、水平パンタ式伸縮門扉を備える門扉装置に関するものである。
【背景技術】
【０００２】
特許文献１には、水平パンタ式伸縮門扉の一端に移動柱を連結すると共にパンタ部材にリンク機構を設け、移動柱に固定した振れ防止部材の突出部に長孔状のガイド部を設けて、リンク機構の軸(被ガイド部）をガイド部に係合して、被ガイド部をガイド部に沿って直線状に移動自在とした構成が開示されている。
【０００３】
【特許文献１】実開昭６１−１９７１９９号公報
【発明の開示】
【発明が解決しようとする課題】
【０００４】
しかし、上述した特許文献１に開示の技術は、リンク機構を設ける構成であるから、構造が複雑になるという問題がある。
特許文献１では、リンク機構の軸の移動方向を規制しているので、伸縮門扉の中央軸と移動柱とが必ずしも同一線上にない場合がある。したがって、伸縮門扉を展開したときに移動柱が所定の向きのまま所定の位置に移動できないおそれがあり、例えば、移動柱に開閉扉を取り付けた場合や移動柱が開閉扉の戸当りになっている場合には扉を確実に開閉できないおそれがある。
特許文献１では、ガイド部は孔であり、被ガイド部は孔に係合する軸としているので、伸縮門扉の伸縮時に無理な力が加わった場合にガイド部や被ガイド部が変形しやすいとい問題がある。
特許文献１の技術は、キャスターが伸縮門扉の伸縮に伴もない回転する軸に取り付けてあるため、伸縮門扉が伸縮するとキャスターが向きを変えることになるので、移動柱の移動や伸縮門扉の伸縮がスムーズに行い難いという問題がある。
そこで、本発明は、簡易な構成で伸縮門扉の移動柱を所定の向きのまま所定位置まで確実に移動することができる門扉装置の提供を目的とする。
【課題を解決するための手段】
【０００５】
請求項１に記載の発明は、水平パンタ式伸縮門扉と、伸縮門扉の一端に連結した移動柱と、振れ防止部材とを備え、伸縮門扉は上下のパンタ部材と、各上下のパンタ部材の中央部を回転自在に支持する中央軸と、複数の中央軸のうちの任意の中央軸の軸線上に設けた被ガイド部を有し、振れ防止部材は移動柱に固定してあり且つ移動柱よりも伸縮門扉側に突出した突出部を有し、突出部には被ガイド部が係合するガイド部が設けてあり、伸縮門扉の伸縮に伴なって被ガイド部がガイド部に沿って直線状に移動自在としてあることを特徴とする。
【０００６】
請求項２に記載の発明は、請求項１に記載の発明において、被ガイド部は伸縮門扉の下端側にある下パンタ部材の下面に軸着したキャスターであり、ガイド部は突出部の上面に設けたレールであることを特徴とする。
【０００７】
請求項３に記載の発明は、水平パンタ式伸縮門扉と、伸縮門扉の一端に連結した移動柱と、振れ防止部材とを備え、振れ防止部材は移動柱に固定してあり且つ移動柱よりも伸縮門扉側に突出した突出部を有し、伸縮門扉は上下のパンタ部材と、各上下のパンタ部材の中央部を回転自在に支持する中央軸を有し且つ複数の中央軸のうちの任意の中央軸の軸線上に振れ防止部材の突出部が軸着してあり、伸縮門扉の伸縮に伴って振れ防止部材の突出部が伸縮門扉の伸縮方向に沿って直線状に伸縮自在としていることを特徴とする。
【０００８】
請求項４に記載の発明は、請求項１〜３のいずれか一項に記載の発明において、振れ防止部材は、移動柱の下端に固定してあり、地面に敷設したレールを走行するキャスターを有することを特徴とする。
【発明の効果】
【０００９】
請求項１に記載の発明では、伸縮門扉の中央軸の軸線上に被ガイド部を設け、被ガイド部を振れ防止部材の突出部に設けたガイド部に係合する構成であるから、構成が簡易である。
伸縮門扉の中央軸の軸線上に設けた被ガイド部が振れ防止部材の突出部に設けたガイド部に係合し且つガイド部は被ガイド部を伸縮門扉の伸縮方向に沿って直線状に案内することにより、伸縮門扉の中央軸と移動中とが常に同一線上に位置するので、移動柱を所定の向きに定めたまま所定位置に確実に移動させることができる。例えば、移動柱に開閉扉を取り付けた場合や移動柱が開閉扉の戸当りになっている場合にも開閉扉の吊元位置が常に一定になるため開閉扉を確実に開閉できる。
【００１０】
請求項２に記載の発明は、請求項１に記載の作用効果を奏すると共に、被ガイド部をキャスターとし、ガイド部をレールとしてあるから、レールとキャスターとの係合により伸縮門扉をスムーズに伸縮させることができる。また、伸縮時に被ガイド部やガイド部に多少無理な力が加わった場合にも、レールとキャスターとの係合とすることにより、被ガイド部やガイド部の変形や損傷を防止できる。
【００１１】
請求項３に記載の発明では、伸縮門扉の中央軸の軸線上を振れ防止部材の突出部に軸着して、突出部を伸縮自在としてあるから、構成が簡易である。
伸縮門扉は中央軸の軸線上の位置で振れ防止部材の突出部に軸着してあり、突出部は伸縮門扉の伸縮方向に沿って直線状に伸縮するので、伸縮門扉の中央軸と移動中とは常に同一線上に位置することにより、移動柱を所定の向きに定めたまま所定位置に確実に移動させることができる。例えば、移動柱に開閉扉を取り付けた場合や移動柱が開閉扉の戸当りになっている場合にも開閉扉を確実に開閉できる。
【００１２】
請求項４に記載の発明は、請求項１〜３のいずれか一項に記載の作用効果を奏すると共に、移動柱は向きを変えずに移動するので移動柱に固定してある振れ防止部材も向きを変えることがない。したがって、向きを変えない振れ防止部材に取り付けたキャスターがレール上を走行することにより、伸縮門扉の伸縮に伴う移動柱の移動を安定に且つスムーズに行うことができる。
【発明を実施するための最良の形態】
【００１３】
以下に、添付図面を参照して本発明の実施の形態を詳細に説明するが、まず図１〜図５を参照して本発明の第１実施の形態を説明する。図１（ａ）は図３のＡ−Ａ断面図であり、図１（ｂ）は図１（ａ）に示すＢ部の拡大図であり、図２は図１（ｂ）に示す部分をＣ方向から見た断面図であり、図３は第１実施の形態にかかる門扉装置の展開状態を示す横断面図であり、図４は第１実施の形態にかかる門扉装置の伸縮門扉を縮めて門柱内に収納した状態を示す横断面図であり、図５は第１実施の形態にかかる門扉装置を縮めたときの図１（ａ）に示すＢ部の拡大図である。
本実施の形態にかかる門扉装置１は、水平パンタ式伸縮門扉３と、水平パンタ式伸縮門扉３の一端に連結した移動柱５と、振れ防止部材７とを備えている。
水平パンタ式伸縮門扉（以下単に「伸縮門扉」という）３は、他端が門柱９の内部に設けた支持部１１に連結されており、縮めて門柱９の内部に収納するようになっている。この伸縮門扉３は、対向する上パンタ部材１３ａと下パンタ部材１３ｂと、各上パンタ部材１３ａと下パンタ部材１３ｂの中央部を回転自在に支持する中央軸１５を有し、中央軸１５を中心にして上下のパンタ部材１３ａ、１３ｂが水平方向に回転すると共に各中央軸１５が水平方向に移動して伸縮するものである。
複数の中央軸１５のうちの任意の中央軸１５の軸線１５ａ上には、被ガイド部１７が設けてあり、本実施の形態では、被ガイド部１７はキャスターであり、キャスターは下パンタ部材１３ｂの下面で中央軸１５の軸線上に軸着してある。尚、本実施の形態では、被ガイド部１７を設けている軸線１５ａは支柱２１に最も近い中央軸の軸線としている。
移動柱５には伸縮門扉３と反対側に開閉門扉１９が連結してあり、移動柱５は開閉門扉１９の吊元柱になっている。そして、伸縮門扉３を展開したときに開閉門扉１９は戸当り用の支柱２１に係止して、伸縮門扉３と開閉門扉１９とで門の出入口２３を塞ぐようになっている。
振れ防止部材７は移動柱５の下端に固定してあり、且つ移動柱５よりも伸縮門扉３側に突出した突出部２５を有し、突出部２５にはガイド部２７が設けてある。ガイド部２７は突出部の上面に設け且つ伸縮門扉の伸縮方向に長い直線状の突条レールであり、ガイド部２７には被ガイド部１７が係合しており、伸縮門扉３の伸縮に伴なって被ガイド部１７がガイド部２７を直線状に移動自在になっている。
また、振れ防止部材７の下面には、キャスター３１が取り付けてあり、キャスター３１は地面に敷設したレール３３を走行するようになっている。このキャスター３１は振れ防止部材７に設けた突出部２５の先端側（門柱９側）に設けてある。
移動柱５の下端には、振れ防止部材７を挟んで道路側と家側とに各々補助輪２９が設けてあり、補助輪２９は地面を走行するようになっている。各補助輪２９の近傍には係止部材３０が設けてあり、伸縮門扉３を展開して移動柱５が所定位置にきたときに係止部材３０が地面に設けた被係止部３２に係止するようになっている。
尚、開閉門扉１９は、引手３５の回転操作により鍵３７を支柱２１の鍵受け３９に係止するようになっていると共に、門柱９にも開閉門扉１９の鍵３５を受ける鍵受け４１が設けてあり、伸縮門扉を縮めて門柱９内に収めたときに開閉門扉１９で門柱９の開口部４３を閉じるようになっている。
【００１４】
次に、本実施の形態にかかる門扉装置１の作用及び効果を説明する。
門の出入口２３を閉じるときには、伸縮門扉３を門柱９内に収納した状態(図４参照)から、門柱９の開口部４３を閉じている開閉門扉１９の鍵３７を鍵受け４１から外して、開閉門扉１９を回転して開口部４３を開く。
そして、開閉門扉１９を移動柱５と共に支柱２１側に引き出して移動柱５に連結してある伸縮門扉５を展開し、門の出入口２３を閉じた位置で、開閉門扉１９は鍵３５を門柱９の鍵受け３７に係合して開閉門扉１９を閉じる（図３参照）。
伸縮門扉３を展開しているときには、上下のパンタ部材１３ａ、１３ｂが中央軸１５の軸回りを回転し、伸縮門扉３の中央軸１５の軸線１５ａ上に取り付けられている被ガイド部１７がガイド部２７に案内されて直線状に移動する。このように、伸縮門扉３を展開しながら移動柱５を所定位置まで移動する。
本実施の形態によれば、伸縮門扉３の中央軸１５の軸線１５ａ上に被ガイド部１７を設け、被ガイド部１７を振れ防止部材７の突出部２５に設けたガイド部２７に係合する構成であるから、構成が簡易である。
伸縮門扉３の中央軸１５の軸線１５ａ上に設けた被ガイド部１７が振れ防止部材７のガイド部２７に係合し、且つガイド部２７は被ガイド部１７を伸縮門扉３の伸縮方向に沿って直線状に案内するので、伸縮門扉３の中央軸１５と移動柱５とは常に同一線上に位置することにより、移動柱５を所定の向きに定めたまま所定位置に確実に移動させることができる。
このように、移動柱５が所定の向きで所定位置まで確実に移動できるので、移動柱５に取り付けてある開閉扉１９は扉を閉じたときに常に所定位置にあるから、支柱２１の鍵受け３９に鍵３７を係止することができる。
被ガイド部１７をキャスターとし、ガイド部２７をレールとしてあるから、レールとキャスターとの係合により伸縮門扉３をスムーズに伸縮させることができる。また、伸縮門扉３の伸縮時に被ガイド部１７やガイド部２７に多少無理な力が加わった場合にも、レールとキャスターとの係合とすることにより、被ガイド部１７やガイド部２７の変形や損傷を防止できる。
振れ防止部材７には地面に敷設したレール３３を走行するキャスター３１が設けてあり、移動柱５に固定した振れ防止部材７は向きを変えることがないので、移動柱５の移動及び伸縮門扉３の展開や伸縮を安定に且つスムーズに行うことができる。
【００１５】
次に図６〜図９を参照して第２実施の形態について説明するが、以下の説明では、上述した第１実施の形態と同一の作用効果を奏する部分には同一の符号を付することによりその部分の詳細な説明を省略し、以下では、第１実施の形態と主に異なる点を説明する。図６（ａ）は第２実施の形態にかかる門扉装置１を図１（ａ）と同じ位置で切断した断面図であり、図６（ｂ）は図６（ａ）のＥ部を拡大して示す図であり、図７は図６（ｂ）で示す部分をＧ−Ｇ位置で切断した断面図であり、図８は図６（ｂ）で示す部分をＦ方向から見た断面図であり、図９は第２実施の形態にかかる門扉装置を縮めたときの図６（ａ）に示すＥ部の拡大図である。
この第２実施の形態では、振れ防止部材７の突出部２５を伸縮門扉の展開方向に沿って一直線状に伸縮自在な構成としてある。即ち、突出部２５は、外径の異なる３つの筒体２５ａ、２５ｂ、２５ｃから構成されており、筒体２５ｂは筒体２５ａ内に収納自在であり、筒体２５ｃは筒体２５ｂ内に収納自在であり、２つの筒体２５ｂ、２５ｃが各々繰り出されて伸び、筒体２５ａ内に筒体２５ｂが、筒体２５ｂ内に筒体２５ｃが収められて縮むようになっている。
突出部２５の先端部には、中央軸１５の軸線１５ａ上において下パンタ部材１３ｂの下面が軸部４９により軸着されている。
尚、本実施の形態では、振れ防止部材７は開閉門扉１９側にも突出部５１を有しており、開閉門扉１９側の突出部５１にもレール３３上を走行するキャスター５２が設けてある。
【００１６】
第２実施の形態によれば、伸縮門扉３の中央軸１５の軸線１５ａ上を振れ防止部材７の突出部２５に軸着し且つ突出部２５を伸縮自在としてあるから、構成が簡易である。
振れ防止部材７の突出部２５が伸縮して伸縮門扉３の中央軸１５の軸線１５ａの部位を伸縮門扉の伸縮方向に沿って直線状に案内するので、伸縮門扉の中央軸１５と移動柱５とは常に同一線上に位置することにより、移動柱５を所定の向きに定めたまま所定位置に確実に移動させることができる。
したがって、第１実施の形態と同様に、移動柱５が所定の向きで所定位置まで確実に移動できるので、移動柱５に連結した開閉門扉１９を支柱２１に対して確実に開閉することができる。
また、振れ防止部材７には地面に敷設したレール３３を走行するキャスター３１、５２が設けてあり、移動柱５に固定した振れ防止部材７は向きを変えることがないので、移動柱５の移動及び伸縮門扉３の展開や伸縮を安定に且つスムーズに行うことができる。
【００１７】
本発明は、上述した実施の形態に限定されず、本発明の要旨を逸脱しない範囲で種々変形可能である。
例えば、第１実施の形態における被ガイド部１７を設ける位置の軸線１５ａとなる中央軸１５や第２実施の形態における突出部２５に軸着する位置の軸線１５ａとなる中央軸１５は、移動柱５に最も近い中央軸とすることに限らず、２番目や３番目に近い中央軸としてもよい。
第１実施の形態の突出部２５を、第２実施の形態の突出部２５のような伸縮自在な構成としてもよい。
第１実施の形態において、被ガイド部１７を中央軸１５に直接取り付けてもよいし、第２実施の形態において中央軸１５を突出部２５に直接軸着してもよい。
請求項１の発明において、振れ防止部材７は移動柱５の上端に固定して、振れ防止部材７の下面にガイド部２７を設け、伸縮門扉３の上端側にあるパンタ部材に被ガイド１７を設けてもよい。また、請求項３の発明において、振れ防止部材７は移動柱５の上端に固定して、振れ防止部材７の伸縮自在な突出部を、伸縮門扉３の上端側にあるパンタ部材に軸着してもよい。
【図面の簡単な説明】
【００１８】
【図１】（ａ）は図３のＡ−Ａ断面図であり、（ｂ）は図１（ａ）に示すＢ部の拡大図である。
【図２】図１（ｂ）に示す部分を図１（ｂ）のＣ方向から見た断面図である。
【図３】第１実施の形態にかかる門扉装置の展開状態を示す横断面図である。
【図４】第１実施の形態にかかる門扉装置の伸縮門扉を縮めて門柱内に収納した状態を示す横断面図である。
【図５】第１実施の形態にかかる門扉装置を縮めたときの図１（ａ）に示すＢ部の拡大図である。
【図６】（ａ）は第２実施の形態にかかる門扉装置１を図１（ａ）と同じ位置で切断した断面図であり、（ｂ）は（ａ）のＥ部を拡大して示す図である。
【図７】図６（ｂ）で示す部分を図６（ｂ）のＧ−Ｇ位置で切断した断面図である。
【図８】図６（ｂ）で示す部分を図６（ｂ）のＦ方向から見た断面図である。
【図９】第２実施の形態にかかる門扉装置を縮めたときの図６（ａ）に示すＥ部の拡大図である。
【符号の説明】
【００１９】
１      門扉装置
３      水平パンタ式伸縮門扉
５      移動柱
７      振れ防止部材
１３ａ  上パンタ部材
１３ｂ  下パンタ部材
１５    中央軸
１７    被ガイド部
２５    突出部
２７    ガイド部
【図１】
2006125071.tif 000003
【図２】
2006125071.tif 000004
【図３】
2006125071.tif 000005
【図４】
2006125071.tif 000006
【図５】
2006125071.tif 000007
【図６】
2006125071.tif 000008
【図７】
2006125071.tif 000009
【図８】
2006125071.tif 000010
【図９】
2006125071.tif 000011